(57)【要約】【課題】体腔内に挿入する挿入部可撓管の小型化（小径化）を図ることにより挿入時の患者の苦痛を軽減することができ、また、簡単な構成で照明光の色（波長）を変化させることのできる内視鏡システムを提供すること。【解決手段】内視鏡１００は、管腔内に挿入される挿入部可撓管２００と、観察部位に照明光を照射する照明手段７００とを有している。また、照明手段７００は、挿入部可撓管２００の先端面２３１に設けられた有機ＥＬ素子７１０を有している。この有機ＥＬ素子７１０は、発光色の異なる２以上の照明光を発光することができる。【選択図】図４
2010042140.tif 000002
【特許請求の範囲】
【請求項１】
管腔内に挿入される挿入部可撓管と、
観察部位に照明光を照射する照明手段とを有し、
前記照明手段は、前記挿入部可撓管の先端面に設けられた少なくとも１つの面光源を有し、該面光源は、発光色の異なる２以上の照明光を発光することができることを特徴とする内視鏡。
【請求項２】
前記面光源は、発光色の異なる複数の発光層を積層したＥＬ素子であり、前記複数の発光層のうちから少なくとも１つの発光層を選択的に発光させることにより、前記照明光の色を変化させるよう構成されている請求項１に記載の内視鏡。
【請求項３】
前記面光源は、発光色の異なる複数の発光層を平面状に配置したＥＬ素子であり、前記複数の発光層のうちから少なくとも１つの発光層を選択的に発光させることにより、前記照明光の色を変化させるよう構成されている請求項１に記載の内視鏡。
【請求項４】
前記複数の発光層は、少なくとも、青色に発光する青色発光層と、緑色に発光する緑色発光層とを含んでいる請求項２または３に記載の内視鏡。
【請求項５】
前記複数の発光層は、さらに、赤色に発光する赤色発光層を含んでいる請求項４に記載の内視鏡。
【請求項６】
前記挿入部可撓管の先端面には、孔および窓部の少なくとも一方が形成された機能部が設けられており、前記面光源は、前記機能部を除くようにして設けられている請求項１ないし５のいずれかに記載の内視鏡。
【請求項７】
前記挿入部可撓管の先端面の前記機能部を除く面積をＳとしたとき、前記面光源の面積は、０．４Ｓ〜１．０Ｓの範囲を満足する請求項６に記載の内視鏡。
【請求項８】
前記窓部は、観察部位で反射した光を受光する対物レンズ系であり、前記面光源は、前記対物レンズ系の周囲の少なくとも一部を囲むように設けられている請求項６または７に記載の内視鏡。
【請求項９】
前記孔は、処置具を挿通する処置具挿通孔であり、前記面光源は、前記処置具挿通孔の周囲の少なくとも一部を囲むように設けられている請求項６ないし８のいずれかに記載の内視鏡。
【請求項１０】
前記面光源は、前記挿入部可撓管の先端面の縁部に沿って設けられている部分を有する請求項１ないし９のいずれかに記載の内視鏡。
【請求項１１】
管腔内に挿入される挿入部可撓管と、
観察部位に照明光を照射する照明手段とを有し、
前記照明手段は、前記挿入部可撓管の先端面に設けられた発光色の異なる複数の面光源を有し、前記複数の面光源のうちから少なくとも１つの面光源を選択的に発光させることにより、発光色の異なる２以上の照明光を発光することができることを特徴とする内視鏡。
【請求項１２】
前記複数の面光源は、青色に発光する青色発光ＥＬ素子と、緑色に発光する緑色発光ＥＬ素子とを含んでいる請求項１１に記載の内視鏡。
【請求項１３】
前記複数の面光源は、さらに、赤色に発光する赤色発光ＥＬ素子を含んでいる請求項１２に記載の内視鏡。
【請求項１４】
前記挿入部可撓管の先端面には、孔および窓部の少なくとも一方が形成された機能部が設けられており、前記各面光源は、前記機能部を除くようにして設けられている請求項１１ないし１３のいずれかに記載の内視鏡。
【請求項１５】
前記挿入部可撓管の先端面の前記機能部を除く面積をＳとしたとき、前記複数の面光源の総面積は、０．４Ｓ〜１．０Ｓの範囲を満足する請求項１４に記載の内視鏡。
【請求項１６】
前記窓部は、観察部位で反射した光を受光する対物レンズ系であり、前記複数の面光源のうちの少なくとも１つは、前記対物レンズ系の周囲の少なくとも一部を囲むように設けられている請求項１４または１５に記載の内視鏡。
【請求項１７】
前記孔は、処置具を挿通する処置具挿通孔であり、前記複数の面光源のうちの少なくとも１つは、前記処置具挿通孔の周囲の少なくとも一部を囲むように設けられている請求項１４ないし１６のいずれかに記載の内視鏡。
【請求項１８】
前記各面光源は、前記挿入部可撓管の先端面の縁部に沿って設けられている部分を有する請求項１１ないし１７のいずれかに記載の内視鏡。
【請求項１９】
請求項１ないし１８のいずれかに記載の内視鏡と、
前記内視鏡が接続される外部装置とを有し、
前記照明手段は、前記外部装置に設けられた前記面光源の駆動を制御する制御手段を有している内視鏡システム。
【発明の詳細な説明】
【技術分野】
【０００１】
本発明は、内視鏡および内視鏡システムに関するものである。
【背景技術】
【０００２】
内視鏡は、体腔内に内視鏡の細長い挿入部を挿入することによって、体腔内の臓器を観察したり、必要に応じて処置具の挿通チャンネル内に挿入した処置具を用いて各種処置を行ったりするもので、医療分野等において広く利用されている。
【０００３】
このような内視鏡にあっては、例えば臓器などの観察部位を観察するための照明光が湾曲部の先端から照射されるようになっている。照射光を生じさせる構成としては、例えば、光源と光ファイバ束とを用いたものが知られている。また、観察部位の特定部位（例えば、粘膜や血管）を詳細に観察するために、照明光の色を変化させることのできる内視鏡（狭帯域光観察用内視鏡）も知られている（例えば、特許文献１）。
【０００４】
特許文献１に記載の内視鏡装置においては、光源装置に設けられた光源用ランプ（キセノンランプ）から発せられた光をライトガイド（光ファイバ束）によって内視鏡の先端へ導き、ライトガイドの先端と対向するように設けられたレンズにより観察部位に照射するようになっている。
【０００５】
しかしながら、このような構成では、観察部位を観察するのに十分な量の光を導くためにライトガイドの本数を多くしなければならず、その分、内視鏡の挿入部の径が太くなる。そのため、体腔内に内視鏡を挿入する際、患者に与える苦痛が大きくなってしまう。
【０００６】
また、特許文献１に記載の内視鏡装置においては、照明光の色（波長）を変化させるために、赤色フィルタ、緑色フィルタおよび青色フィルタが配置された回転フィルタを用いている。具体的には、回転フィルタは、光源装置の内部であって、かつ、キセノンランプとライトガイドとの間に設けられている。そして、回転フィルタを回転させ、キセノンランプから発生した照明光の光路上に青色フィルタを位置させれば青色の照明光が得られ、同様に、緑色フィルタを位置させれば緑色の照明光が得られ、赤色フィルタを位置させれば赤色の照明光が得られるようになっている。
【０００７】
しかしながら、このような構成では、照明光の色を変化させるための構成が煩雑化してしまう。また、部品点数も多いため、光源装置の小型化を図ることができない。
【０００８】
【特許文献１】特開２００２−３４８９３号公報
【発明の開示】
【発明が解決しようとする課題】
【０００９】
本発明の目的は、体腔内に挿入する挿入部可撓管の小型化（小径化）を図ることにより挿入時の患者の苦痛を軽減することができ、また、簡単な構成で照明光の色（波長）を変化させることのできる内視鏡および内視鏡システムを提供することにある。
【課題を解決するための手段】
【００１０】
前記目的は、以下（１）〜（１９）の本発明により達成される。
（１）  管腔内に挿入される挿入部可撓管と、
観察部位に照明光を照射する照明手段とを有し、
前記照明手段は、前記挿入部可撓管の先端面に設けられた少なくとも１つの面光源を有し、該面光源は、発光色の異なる２以上の照明光を発光することができることを特徴とする内視鏡。
【００１１】
これにより、体腔内に挿入する挿入部可撓管の小型化（小径化）を図ることにより挿入時の患者の苦痛を軽減することができ、また、簡単な構成で照明光の色（波長）を変化させることのできる内視鏡を提供することができる。
【００１２】
（２）  前記面光源は、発光色の異なる複数の発光層を積層したＥＬ素子であり、前記複数の発光層のうちから少なくとも１つの発光層を選択的に発光させることにより、前記照明光の色を変化させるよう構成されている上記（１）に記載の内視鏡。
【００１３】
これにより、色の異なる２以上の照明光を容易に発生させることができる。また、照明光の色（波長）に関係なく、その照明光がＥＬ素子の全面から照射されることとなる。そのため、広い範囲から照明光を照射することができ、観察部位をムラなく、かつ広範囲にわたって照明することができる。
【００１４】
（３）  前記面光源は、発光色の異なる複数の発光層を平面状に配置したＥＬ素子であり、前記複数の発光層のうちから少なくとも１つの発光層を選択的に発光させることにより、前記照明光の色を変化させるよう構成されている上記（１）に記載の内視鏡。
これにより、色の異なる２以上の照明光を容易に発生させることができる。
【００１５】
（４）  前記複数の発光層は、少なくとも、青色に発光する青色発光層と、緑色に発光する緑色発光層とを含んでいる上記（２）または（３）に記載の内視鏡。
【００１６】
これにより、青色の照明光および緑色の照明光を照射することができる。青色の照明光を照射することにより、粘膜表層の毛細血管が強調され、当該毛細血管を鮮明に観測できるようになる。また、緑色の照明光を照射することにより、粘膜深層の比較的太い血管が強調され、当該比較的太い血管を鮮明に観測できるようになる。
【００１７】
（５）  前記複数の発光層は、さらに、赤色に発光する赤色発光層を含んでいる上記（４）に記載の内視鏡。
【００１８】
これにより、白色の照明光を照射することができる。照明光を白色とすることにより、粘膜表面を自然な色合いで鮮明に観察することができる。
【００１９】
（６）  前記挿入部可撓管の先端面には、孔および窓部の少なくとも一方が形成された機能部が設けられており、前記面光源は、前記機能部を除くようにして設けられている上記（１）ないし（５）のいずれかに記載の内視鏡。
【００２０】
これにより、挿入部可撓管のスペースを有効活用することができる。そのため、ＥＬ素子の設置面積を十分に確保しつつ、挿入部可撓管の小径化を図ることができる。すなわち、観察部位を照らすのに十分な光量が得られるのを確保しつつ、挿入部可撓管の小径化を図ることができる。
【００２１】
（７）  前記挿入部可撓管の先端面の前記機能部を除く面積をＳとしたとき、前記面光源の面積は、０．４Ｓ〜１．０Ｓの範囲を満足する上記（６）に記載の内視鏡。
これにより、さらに、挿入部可撓管のスペースを有効活用することができる。
【００２２】
（８）  前記窓部は、観察部位で反射した光を受光する対物レンズ系であり、前記面光源は、前記対物レンズ系の周囲の少なくとも一部を囲むように設けられている上記（６）または（７）に記載の内視鏡。
【００２３】
これにより、挿入部可撓管のスペースを有効活用することができる。そのため、ＥＬ素子の設置面積を十分に確保しつつ、挿入部可撓管の小径化を図ることができる。
【００２４】
（９）  前記孔は、処置具を挿通する処置具挿通孔であり、前記面光源は、前記処置具挿通孔の周囲の少なくとも一部を囲むように設けられている上記（６）ないし（８）のいずれかに記載の内視鏡。
【００２５】
これにより、挿入部可撓管のスペースを有効活用することができる。そのため、ＥＬ素子の設置面積を十分に確保しつつ、挿入部可撓管の小径化を図ることができる。
【００２６】
（１０）  前記面光源は、前記挿入部可撓管の先端面の縁部に沿って設けられている部分を有する上記（１）ないし（９）のいずれかに記載の内視鏡。
【００２７】
これにより、挿入部可撓管のスペースを有効活用することができる。そのため、ＥＬ素子の設置面積を十分に確保しつつ、挿入部可撓管の小径化を図ることができる。
【００２８】
（１１）  管腔内に挿入される挿入部可撓管と、
観察部位に照明光を照射する照明手段とを有し、
前記照明手段は、前記挿入部可撓管の先端面に設けられた発光色の異なる複数の面光源を有し、前記複数の面光源のうちから少なくとも１つの面光源を選択的に発光させることにより、発光色の異なる２以上の照明光を発光することができることを特徴とする内視鏡。
【００２９】
これにより、体腔内に挿入する挿入部可撓管の小型化（小径化）を図ることにより挿入時の患者の苦痛を軽減することができ、また、簡単な構成で照明光の色（波長）を変化させることのできる内視鏡を提供することができる。
【００３０】
（１２）  前記複数の面光源は、青色に発光する青色発光ＥＬ素子と、緑色に発光する緑色発光ＥＬ素子とを含んでいる上記（１１）に記載の内視鏡。
【００３１】
これにより、青色の照明光および緑色の照明光を照射することができる。青色の照明光を照射することにより、粘膜表層の毛細血管が強調され、当該毛細血管を鮮明に観測できるようになる。また、緑色の照明光を照射することにより、粘膜深層の比較的太い血管が強調され、当該比較的太い血管を鮮明に観測できるようになる。
【００３２】
（１３）  前記複数の面光源は、さらに、赤色に発光する赤色発光ＥＬ素子を含んでいる上記（１２）に記載の内視鏡。
【００３３】
これにより、白色の照明光を照射することができる。照明光を白色とすることにより、粘膜表面を自然な色合いで鮮明に観察することができる。
【００３４】
（１４）  前記挿入部可撓管の先端面には、孔および窓部の少なくとも一方が形成された機能部が設けられており、前記各面光源は、前記機能部を除くようにして設けられている上記（１１）ないし（１３）のいずれかに記載の内視鏡。
【００３５】
これにより、挿入部可撓管のスペースを有効活用することができる。そのため、ＥＬ素子の設置面積を十分に確保しつつ、挿入部可撓管の小径化を図ることができる。すなわち、観察部位を照らすのに十分な光量が得られるのを確保しつつ、挿入部可撓管の小径化を図ることができる。
【００３６】
（１５）  前記挿入部可撓管の先端面の前記機能部を除く面積をＳとしたとき、前記複数の面光源の総面積は、０．４Ｓ〜１．０Ｓの範囲を満足する上記（１４）に記載の内視鏡。
これにより、さらに、挿入部可撓管のスペースを有効活用することができる。
【００３７】
（１６）  前記窓部は、観察部位で反射した光を受光する対物レンズ系であり、前記複数の面光源のうちの少なくとも１つは、前記対物レンズ系の周囲の少なくとも一部を囲むように設けられている上記（１４）または（１５）に記載の内視鏡。
【００３８】
これにより、挿入部可撓管のスペースを有効活用することができる。そのため、ＥＬ素子の設置面積を十分に確保しつつ、挿入部可撓管の小径化を図ることができる。
【００３９】
（１７）  前記孔は、処置具を挿通する処置具挿通孔であり、前記複数の面光源のうちの少なくとも１つは、前記処置具挿通孔の周囲の少なくとも一部を囲むように設けられている上記（１４）ないし（１６）のいずれかに記載の内視鏡。
【００４０】
これにより、挿入部可撓管のスペースを有効活用することができる。そのため、ＥＬ素子の設置面積を十分に確保しつつ、挿入部可撓管の小径化を図ることができる。
【００４１】
（１８）  前記各面光源は、前記挿入部可撓管の先端面の縁部に沿って設けられている部分を有する上記（１１）ないし（１７）のいずれかに記載の内視鏡。
【００４２】
これにより、挿入部可撓管のスペースを有効活用することができる。そのため、ＥＬ素子の設置面積を十分に確保しつつ、挿入部可撓管の小径化を図ることができる。
【００４３】
（１９）  上記（１）ないし（１８）のいずれかに記載の内視鏡と、
前記内視鏡が接続される外部装置とを有し、
前記照明手段は、前記外部装置に設けられた前記面光源の駆動を制御する制御手段を有している内視鏡システム。
【００４４】
これにより、体腔内に挿入する挿入部可撓管の小型化（小径化）を図ることにより挿入時の患者の苦痛を軽減することができ、また、簡単な構成で照明光の色（波長）を変化させることのできる内視鏡システムを提供することができる。
【発明の効果】
【００４５】
本発明によれば、体腔内に挿入する部分の小型化（小径化）を図ることにより挿入時の患者の苦痛を軽減することができ、かつ、簡単な構成で照明光の色を変化させることにより観察部位の特定部位を鮮明に観察することのできる内視鏡を提供することができる。特に、面光源としてＥＬ素子を用いた場合には、挿入部可撓管の内部スペースを有効活用することができ、より体腔内に挿入する部分の小型化（小径化）を図ることができる。
【発明を実施するための最良の形態】
【００４６】
以下、本発明の内視鏡および内視鏡システムを添付図面に示す好適実施形態に基づいて詳細に説明する。なお、以下では、本発明の内視鏡を、医療用内視鏡、特に、電子内視鏡（電子スコープ）に適用した場合について説明する。
【００４７】
図１は、電子内視鏡の第１実施形態を示す全体図、図２は、図１に示す電子内視鏡が備える挿入部可撓管の先端部の拡大斜視図、図３は、図２に示す挿入部可撓管の先端部の断面図、図４は、図２に示す挿入部可撓管の先端の平面図、図５は、図１に示す電子内視鏡が備える有機ＥＬ素子の断面図、図６は、図１に示す電子内視鏡が備える照明手段のブロック図である。なお、説明の便宜上、以下、図１中上側を「基端」、下側を「先端」として説明する。
【００４８】
図１に示す内視鏡システム１は、外部装置９００と、外部装置９００と接続して使用する電子内視鏡１００（以下、単に「内視鏡１００」という）と、ケーブル９１０を介して外部装置９００に接続されたモニタ装置９２０とを有している。
【００４９】
内視鏡１００は、可撓性（柔軟性）を有する長尺物の挿入部可撓管２００と、挿入部可撓管２００の基端部に接続され、術者が把持して内視鏡１００全体を操作する操作部３００と、操作部３００に接続された接続部可撓管４００と、接続部可撓管４００の先端部に接続された光源差込部５００と、観察部位を撮像する撮像手段６００と、観察部位に照明光を照射する照明手段７００とを有している。
【００５０】
挿入部可撓管２００は、体腔（管腔）内に挿入して使用される。図１に示すように、挿入部可撓管２００は、基端側（操作部３００側）から可撓管部２１０と、可撓管部２１０の先端部に設けられ、湾曲可能な湾曲部２２０と、湾曲部の先端部に設けられた硬性部２３０とを有している。
【００５１】
湾曲部２２０は、操作部３００の側面に設置された操作ノブ３１０、３２０の操作によって４方向に湾曲するようになっていて、湾曲部２２０を所定方向に湾曲させることにより、硬性部２３０の向きを変えることができるようになっている。
【００５２】
図２に示すように、硬性部２３０は、円柱状をなしている。また、硬性部２３０は、例えば硬質なプラスチック材料で構成されている。このような硬性部２３０の先端面２３１には、対物レンズ系（窓部）６２０、送気送水ノズル８１０、処置具挿通孔８２０および一対のカバーガラス７３１、７３２が設けられている。
【００５３】
対物レンズ系６２０、送気送水ノズル８１０および処置具挿通孔８２０は、後述するように、それぞれ特定の機能を有しているため、以下では、説明の便宜上、これらを総称して「機能部８００」とも言う。
【００５４】
送気送水ノズル８１０は、気体（空気等）や液体（水、洗浄液）を観察部位に向けて勢いよく吐出するためのノズルである。例えば、送気送水ノズル８１０により観察部位に向けて水を吐出することにより、観察部位の汚れを落とすことができ、また、観察部位に向けて空気を吐出することにより、観察部位に付着した余分な水分を取り除くことができる。これにより、観察部位をより鮮明に観察（撮像）することができるようになる。このような空気や水の吐出は、例えば、術者が操作部３００に設けられたボタンを操作することにより実行される。
【００５５】
処置具挿通孔８２０は、例えば可撓性を有するチューブを介して処置具挿通口３３０に連通している。このような処置具挿通孔８２０には、処置具挿通口３３０から、鉗子、カテーテル、ガイドワイヤ等の処置具が挿通される。
【００５６】
図３に示すように、硬性部２３０の内部には、対物レンズ系６２０に対向するように撮像素子（ＣＭＯＳイメージセンサ、ＣＣＤ等の固体撮像素子）６１０が配置されている。撮像素子６１０は、挿入部可撓管２００内、操作部３００内および接続部可撓管４００内に連続して配設された画像信号ケーブル（図示せず）により、光源差込部５００に設けられた画像信号用コネクタ５１０に接続されている。このような撮像素子６１０および対物レンズ系６２０は、観察部位を撮像するための撮像手段６００を構成するものである。
【００５７】
照明手段７００は、カバーガラス７３１、７３２および有機ＥＬ素子７１０を含んでいる。カバーガラス７３１、７３２は、それぞれ、実質的に無色透明である。このようなカバーガラス７３１、７３２の内面と接触するようにして先端面２３１に有機ＥＬ素子（面光源）７１０が設けられている。
【００５８】
有機ＥＬ素子７１０は、シート状をなしている。有機ＥＬ素子７１０は、後述するように、発光色が異なる複数の発光層（青色発光層７２３ｂ、緑色発光層７２５ｂ、赤色発光層７２７ｂ）を有しており、この複数の発光層７２３ｂ、７２５ｂ、７２７ｂのうちから少なくとも１つの発光層を選択的に発光させることにより、照明光の色（波長）を変化させることができるようになっている。
【００５９】
以下、この有機ＥＬ素子７１０について詳述する。
まず、図４に基づいて、有機ＥＬ素子７１０の形状を詳細に説明する。なお、図４（ａ）は、先端面２３１の平面図、図４（ｂ）は、有機ＥＬ素子７１０の平面図である。
【００６０】
図４（ａ）、（ｂ）に示すように、有機ＥＬ素子７１０は、その平面視にて対物レンズ系６２０、送気送水ノズル８１０および処置具挿通孔８２０（すなわち機能部８００）を除くようにして、すなわち、先端面２３１の対物レンズ系６２０、送気送水ノズル８１０および処置具挿通孔８２０以外の余った領域を埋めるようにして設けられている。
【００６１】
また、有機ＥＬ素子７１０は、対物レンズ系６２０、送気送水ノズル８１０および処置具挿通孔８２０のそれぞれの周囲の一部を囲むように設けられている。また、有機ＥＬ素子７１０は、先端面２３１の縁部に沿うようにして形成された部分を有している。
【００６２】
より具体的に説明すれば、図４（ｂ）に示すように、有機ＥＬ素子７１０の外形は、対物レンズ系６２０の周囲を囲むように形成された第１の縁部７１１ａと、送気送水ノズル８１０の周囲を囲むように形成された第２の縁部７１１ｂと、先端面２３１の縁部に沿うように形成された第３の縁部７１１ｃと、処置具挿通孔８２０の周囲を囲むようにして形成された第４の縁部７１１ｄと、先端面２３１の縁部に沿うように形成された第５の縁部７１１ｅとにより規定されている。
【００６３】
有機ＥＬ素子７１０をこのような形状（外形）とすることにより、先端面２３１の対物レンズ系６２０、送気送水ノズル８１０および処置具挿通孔８２０以外の領域のほぼ全域にわたって、有機ＥＬ素子７１０を配置することができる。そのため、硬性部２３０（先端面２３１）のスペースを有効活用することができ、有機ＥＬ素子７１０の大きさ（発光面の面積）を十分に確保しつつ（すなわち、観察部位に照射することのできる光の強さを十分に確保しつつ）、硬性部２３０の小径化を図ることができる。
【００６４】
ここで、先端面２３１の機能部８００を除く面積をＳとしたとき、有機ＥＬ素子７１０の面積（平面視での面積）は、０．４Ｓ〜１．０Ｓの範囲を満足するのが好ましく、０．７Ｓ〜０．９５Ｓの範囲を満足することがより好ましい。これにより、先端面２３１の機能部８００を除いた領域の大部分に有機ＥＬ素子７１０が設けられていることとなり、硬性部２３０（先端面２３１）のスペースをより有効活用することができる。
【００６５】
図４（ｂ）に示すように、本実施形態では、有機ＥＬ素子７１０は、図４（ｂ）中左側に位置する左側扇状部７１２と、右側に位置する右側扇状部７１３と、左側扇状部７１２と右側扇状部７１３とを連結する連結部７１４とを有している。
【００６６】
ここで、前述したカバーガラス７３１は、左側扇状部７１２に対応して設けられているものであり、同様に、カバーガラス７３２は、右側扇状部７１３に対応して設けられているものである。これにより、左側扇状部７１２で発生した光は、カバーガラス７３１を介して先端面２３１から硬性部２３０の外部（観察部位）へ照射され、右側扇状部７１３で発生した光は、カバーガラス７３２を介して先端面２３１から硬性部２３０の外部へ照射される。
【００６７】
本実施形態では、互いに比較的大きな面積を有する左側扇状部７１２および右側扇状部７１３が、先端面２３１の中心Ｏを介して対向するように配置されている。そのため、有機ＥＬ素子７１０で発生した照明光を先端面２３１から観察部位に向けてムラなく照射することができる。この点から言えば、左側扇状部７１２と右側扇状部７１３の面積（平面視における面積）とがほぼ等しいことが好ましい。
【００６８】
次いで、有機ＥＬ素子７１０の構成について一例を挙げて説明する。
本実施形態の有機ＥＬ素子７１０は、後述する基板７２１側から光（照明光）を取り出す構成（ボトムエミッション型）である。なお、有機ＥＬ素子７１０の構成としては、これに限定されず、後述する陰極７２８側から光を取り出す構成（トップエミッション型）であってもよい。
【００６９】
図５に示すように、有機ＥＬ素子７１０は、基板７２１と、基板７２１上に設けられた陽極７２２と、陽極７２２上に設けられた青色発光有機ＥＬ層７２３と、青色発光有機ＥＬ層７２３上に設けられた透明電極７２４と、透明電極７２４上に設けられた緑色発光有機ＥＬ層７２５と、緑色発光有機ＥＬ層７２５上に設けられた透明電極７２６と、透明電極７２６上に設けられた赤色発光有機ＥＬ層７２７と、赤色発光有機ＥＬ層７２７上に設けられた陰極７２８と、各層７２２〜７２８を覆うように設けられた保護層７２９とを備えている。
【００７０】
青色発光有機ＥＬ層７２３は、正孔輸送層７２３ａと、青色発光層７２３ｂと、電子輸送層７２３ｃとを備え、これらがこの順で陽極７２２上に形成されている。同様に、緑色発光有機ＥＬ層７２５も、正孔輸送層７２５ａと、緑色発光層７２５ｂと、電子輸送層７２５ｃとを備え、これらがこの順で透明電極７２４上に形成されている。また、赤発光有機ＥＬ層７２７も、正孔輸送層７２７ａと、赤色発光層７２７ｂと、電子輸送層７２７ｃとを備え、これらがこの順で透明電極７２６上に形成されている。
【００７１】
基板７２１は、有機ＥＬ素子７１０の支持体となるものであり、この基板７２１上に各前記層が形成されている。基板７２１は、硬質なもの、軟質なもの（可撓性を有するもの）のいずれであってもよい。
【００７２】
このような基板７２１の構成材料としては、特に限定されず、例えば、ポリエチレンテレフタレート、ポリエチレンナフタレート、ポリプロピレン、ポリアリレートのような各種樹脂材料や、各種ガラス材料等が挙げられ、これらのうちの１種または２種以上を組み合わせて用いることができる。
【００７３】
陽極７２２は、青色発光有機ＥＬ層７２３（正孔輸送層７２３ａ）に正孔を注入する電極である。この陽極７２２は、各有機ＥＬ層７２３、７２５、７２７からの発光を視認し得るように、実質的に透明（無色透明、有色透明、半透明）とされている。
【００７４】
このような陽極材料としては、例えば、ＩＴＯ（Ｉｎｄｉｕｍ  Ｔｉｎ  Ｏｘｉｄｅ）、ＳｎＯ2、Ｓｂ含有ＳｎＯ2、Ａｌ含有ＺｎＯ等の酸化物、Ａｕ、Ｐｔ、Ａｇ、Ｃｕまたはこれらを含む合金等が挙げられ、これらのうちの１種または２種以上を組み合わせて用いることができる。
【００７５】
透明電極７２４は、青色発光有機ＥＬ層７２３（電子輸送層７２３ｃ）に電子を注入したり、緑色発光有機ＥＬ層７２５（正孔輸送層７２５ａ）に正孔を注入したりする電極である。同様に、透明電極７２６は、緑色発光有機ＥＬ層７２５（電子輸送層７２５ｃ）に電子を注入したり、赤色発光有機ＥＬ層７２７（正孔輸送層７２７ａ）に正孔を注入したりする電極である。このような透明電極７２４、７２６は、それぞれ、実質的に透明（無色透明、有色透明、半透明）とされている。
【００７６】
このような透明電極材料としては、例えば、ＩＴＯ（Ｉｎｄｉｕｍ  Ｔｉｎ  Ｏｘｉｄｅ）、ＳｎＯ2、Ｓｂ含有ＳｎＯ2、Ａｌ含有ＺｎＯ等の酸化物、Ａｕ、Ｐｔ、Ａｇ、Ｃｕまたはこれらを含む合金等が挙げられ、これらのうちの１種または２種以上を組み合わせて用いることができる。
【００７７】
陰極７２８は、赤色発光有機ＥＬ層７２７（電子輸送層７２７ｃ）に電子を注入する電極である。このような陰極材料としては、Ａｇ、Ｃｕ、Ａｌまたはこれらを含む合金等が挙げられ、これらのうちの１種または２種以上を組み合わせて用いることができる。
【００７８】
青色発光有機ＥＬ層７２３の正孔輸送層７２３ａは、陽極７２２から注入された正孔を青色発光層７２３ｂまで輸送する機能を有するものである。同様に、緑色発光有機ＥＬ層７２５の正孔輸送層７２５ａは、透明電極７２４から注入された正孔を緑色発光層７２５ｂまで輸送する機能を有するものであり、赤色発光有機ＥＬ層７２７の正孔輸送層７２７ａは、透明電極７２６から注入された正孔を赤色発光層７２７ｂまで輸送する機能を有するものである。
【００７９】
正孔輸送層７２３ａ、７２５ａ、７２７ａの構成材料（正孔輸送材料）としては、例えば、アリールシクロアルカン系化合物、アリールアミン系化合物、フェニレンジアミン系化合物、カルバゾール系化合物、スチルベン系化合物、オキサゾール系化合物、トリフェニルメタン系化合物等が挙げられる。
【００８０】
青色発光有機ＥＬ層７２３の電子輸送層７２３ｃは、透明電極７２４から注入された電子を青色発光層７２３ｂまで輸送する機能を有するものである。同様に、緑色発光有機ＥＬ層７２５の電子輸送層７２５ｃは、透明電極７２６から注入された電子を緑色発光層７２５ｂまで輸送する機能を有し、赤色発光有機ＥＬ層７２７の電子輸送層７２７ｃは、陰極７２８から注入された電子を赤色発光層７２７ｂまで輸送する機能を有する。
【００８１】
電子輸送層７２３ｃ、７２５ｃ、７２７ｃの構成材料（電子輸送材料）としては、例えば、ベンゼン系化合物（スターバースト系化合物）、ナフタレン系化合物、フェナントレン系化合物、クリセン系化合物、ペリレン系化合物、アントラセン系化合物等が挙げられる。
【００８２】
例えば、陽極７２２と透明電極７２４との間に通電（電圧を印加）すると、正孔輸送層７２３ａ中を正孔が、また、電子輸送層７２３ｃ中を電子が移動し、青色発光層７２３ｂにおいて正孔と電子とが再結合する。そして、青色発光層７２３ｂでは、この再結合に際して放出されたエネルギーによりエキシトン（励起子）が生成し、このエキシトンが基底状態に戻る際にエネルギー（蛍光やりん光）を放出（発光）する。
【００８３】
同様に、透明電極７２４と透明電極７２６との間に通電すると、緑色発光層７２５ｂが発光し、透明電極７２６と陰極７２８との間に通電すると、赤色発光層７２７ｂが発光する。このように、電圧を印加する電極を選択することにより、異なる色（波長）の照明光を発生させることができる。
【００８４】
この発光層７２３ｂ、７２５ｂ、７２７ｂの構成材料（発光材料）としては、正孔と電子が再結合する場を提供でき、所望の色の光を発生させるものであれば、いかなるものであってもよい。発光材料としては、例えば、ベンゼン系化合物、ナフタレン系化合物、フェナントレン系化合物、クリセン系化合物等の低分子の発光材料や、ポリアセチレン系化合物、ポリチオフェン系化合物、ポリフルオレン系化合物、ポリパラフェニレン系化合物のような高分子の発光材料等が挙げられる。
【００８５】
保護層７２９は、有機ＥＬ素子７１０を構成する各層７２２〜７２８を覆うように設けられている。この保護層７２９は、有機ＥＬ素子７１０を構成する各層７２２〜７２８を気密的に封止し、酸素や水分を遮断する機能を有する。
【００８６】
以上、有機ＥＬ素子７１０の構成について説明した。
このような構成の有機ＥＬ素子７１０によれば、２種以上の異なる色（波長）の照明光を容易に発生させることができる。具体的には、陽極７２２および透明電極７２４間に電圧を印加すれば青色の照明光が得られ、透明電極７２４および透明電極７２６間に電圧を印加すれば緑色の照明光が得られ、陽極７２２および透明電極７２４間、透明電極７２４および透明電極７２６間、透明電極７２６および陰極７２８間にそれぞれ電圧を印加することにより、白色の照明光が得られる。
【００８７】
特に、本実施形態では、有機ＥＬ素子７１０は、青色発光有機ＥＬ層７２３、緑色発光有機ＥＬ層７２５および赤色発光有機ＥＬ層７２７という光の三原色に対応する発光層を有しているため、発光させる層およびその発光量を適宜設定することにより、様々な色（波長）の照明光を容易に発生させることができる。
【００８８】
また、本実施形態では、有機ＥＬ素子７１０は、青色発光有機ＥＬ層７２３、緑色発光有機ＥＬ層７２５および赤色発光有機ＥＬ層７２７が厚さ方向に積層する構成をとっているため、照明光の色（波長）に関係なく、その照明光が有機ＥＬ素子７１０の全面から照射されることとなる。そのため、広い範囲から照明光を照射することができ、また、観察部位をムラなく照明照らし出すことができる。
【００８９】
また、本実施形態のように、光源として有機ＥＬ素子を用いることにより、挿入部可撓管２００内に配設する配線の数を少なくすることができるため、配線の配置スペースを小さくできる。これにより、挿入部可撓管２００の小径化を図ることができる。
【００９０】
また、有機ＥＬ素子は、設計の自由度が高く、比較的簡単に所望の形状（平面視形状）のものを得ることができるものである。そのため、有機ＥＬ素子によれば、本実施形態のような比較的複雑な形状（平面視形状）の面光源を簡単に得ることができる。また、有機ＥＬ素子は、ほとんど発熱しないため、硬性部２３０が高温とならず患者の熱傷を防止することもできる。
【００９１】
図５に示すように、有機ＥＬ素子７１０は、内視鏡側制御部７４１に電気的に接続されている。また、内視鏡側制御部７４１は、光源差込部５００に設けられた光源用コネクタ５２０に接続されている。このような内視鏡側制御部７４１は、図６に示すように、光源差込部５００が外部装置９００に接続されることにより、外部装置９００内に設けられた制御手段７４２と電気的に接続される。
【００９２】
制御手段７４２は、有機ＥＬ素子７１０の駆動を制御する機能を有していて、例えば、有機ＥＬ素子７１０が有する４つの電極７２２、７２４、７２６、７２８のうちから電圧を印加する電極を選択するとともに、印加する電圧を大きさを決定する。内視鏡側制御部７４１は、制御手段７４２からの指令（信号）に基づいて有機ＥＬ素子７１０を駆動する。
【００９３】
このような内視鏡１００は、次のようにして作動する。
画像信号用コネクタ５１０および光源用コネクタ５２０をそれぞれ外部装置９００に接続する。次いで、制御手段７４２によって有機ＥＬ素子７１０の駆動を制御し、有機ＥＬ素子７１０から所望の色（波長）および強さの照明光を照射させる。このとき、有機ＥＬ素子７１０から照射される照明光の色を選択することにより、観察部位のある特定の部位（組織）をより鮮明に観察することができるようになる。
【００９４】
具体的には、例えば、照明光を白色とすることにより、粘膜表面を自然な色合いで鮮明に観察することができる。また、照明光を青色（波長４１０ｎｍ程度）とすることにより、粘膜表層の毛細血管が強調され、当該毛細血管を鮮明に観測できるようになる。また、照明光を緑色（波長５４０ｎｍ程度）とすることにより、粘膜深層の比較的太い血管が強調され、当該比較的太い血管を鮮明に観測できるようになる。また、照明光を青色と緑色との合成光とすることにより、粘膜表層の毛細血管および粘膜深層の比較的太い血管を同時にかつ鮮明に観察することができる。
【００９５】
照射された照明光は、観察部位で反射し、被写体像を形成する反射光となる。この反射光の一部は、対物レンズ系６２０に入射し、撮像素子６１０の受光面に導かれる。
【００９６】
撮像素子６１０は、その受光面に導かれた反射光を受光する。その結果、被写体像が撮像される。そして、撮像素子６１０からは、撮像された被写体像に対応した画像信号（ＣＣＤ信号）が出力される。この画像信号は、図示しない制御部に入力され、所定の信号処理が施される。この処理が施された画像信号は、画像信号用コネクタ５１０を介して、外部装置９００に入力される。
【００９７】
この入力された画像信号は、外部装置９００により、所定のテレビジョン信号に変換される。このようなテレビジョン信号がケーブル９１０を介してモニタ装置９２０に入力され、モニタ装置９２０の図示しない画面上に、撮像素子６１０で撮像された被写体の動画または静止画等の内視鏡モニタ画像が表示される。
【００９８】
＜第２実施形態＞
次に、本発明の内視鏡システムの第２実施形態について説明する。
【００９９】
図７は、本発明の第２実施形態にかかる内視鏡システムが備える有機ＥＬ素子の平面図、図８は、図７に示す有機ＥＬ素子の断面図である。
【０１００】
以下、第２実施形態の内視鏡システムについて、前述した第１実施形態の内視鏡システムとの相違点を中心に説明し、同様の事項については、その説明を省略する。また、前述した実施形態と同様の構成には同一符号を付してある。
【０１０１】
本発明の第２実施形態にかかる内視鏡システムは、内視鏡の先端面に設置された有機ＥＬ素子の構成が異なる以外は、前述した第１実施形態の内視鏡システムとほぼ同様である。
本実施形態の有機ＥＬ素子７５０は、後述する回路基板７５１側から光（照明光）を取り出す構成（ボトムエミッション型）である。
【０１０２】
図７に示すように、本実施形態の有機ＥＬ素子７５０は、青色発光有機ＥＬ層７５４、緑色発光有機ＥＬ層７５５および赤色発光有機ＥＬ層７５６が平面状（マトリックス状）に配列してなるものである。このような有機ＥＬ素子７５０は、前述した第１実施形態の有機ＥＬ素子と同様に、青色発光有機ＥＬ層７５４、緑色発光有機ＥＬ層７５５および赤色発光有機ＥＬ層７５６のうちから発光させる層を選択することにより、色（波長）の異なる２種以上の照明光を照射することができるようになっている。
【０１０３】
以下、有機ＥＬ素子７５０の構成の一例を図８に基づいて説明する。
【０１０４】
図８に示すように、有機ＥＬ素子７５０は、図示しない駆動用ＴＦＴ（スイッチング素子）をマトリックス状に複数備える回路基板７５１と、回路基板７５１上に設けられた複数の陽極７５２と、回路基板７５１と間隔を隔てて対向配置された陰極７５３とを有している。なお、本実施形態では、回路基板７５１側から光を取り出す構成であるため、回路基板７５１は、実質的に透明とされている。
【０１０５】
複数の陽極７５２は、それぞれ、駆動用ＴＦＴに対応して設けられており、対応するＴＦＴの例えばドレイン電極と電気的に接続している。これにより、複数の陽極７５２に対してそれぞれ独立して電圧を印加することができる。
【０１０６】
１つの陽極７５２と陰極７５３との間には、青色発光有機ＥＬ層７５４、緑色発光有機ＥＬ層７５５および赤色発光有機ＥＬ層７５６のいずれかの層が配置されている。青色発光有機ＥＬ層７５４は、正孔輸送層７５４ａ、発光層７５４ｂおよび電子輸送層７５４ｃを有している。同様に、緑色発光有機ＥＬ層７５５も、正孔輸送層７５５ａ、発光層７５５ｂおよび電子輸送層７５５ｃを有し、赤色発光有機ＥＬ層７５６も、正孔輸送層７５６ａ、発光層７５６ｂおよび電子輸送層７５６ｃを有している。
【０１０７】
また、隣接する有機ＥＬ層同士は、隔壁部７５８により区画されている。
有機ＥＬ素子７５０をこのような構成とすることにより、色の異なる２以上の照明光を容易に発生させることができる。具体的には、青色発光有機ＥＬ層７５４に対応する陽極７５２と陰極７５３との間に電圧を印加することにより、青色発光有機ＥＬ層７５４を発光させ、青色の照明光を得ることができる。これと同様に、緑色発光有機ＥＬ層７５５を発光させることにより緑色の照明光が得られ、青色発光有機ＥＬ層７５４、緑色発光有機ＥＬ層７５５および赤色発光有機ＥＬ層７５６をそれぞれ発光させることにより、青色、緑色、赤色の照明光が合成されて、白色の照明光を得ることができる。
【０１０８】
特に、本実施形態では、複数の青色発光有機ＥＬ層７５４、複数の緑色発光有機ＥＬ層７５５および複数の赤色発光有機ＥＬ層７５６が平面状に配列している。そのため、例えば、青色の照明光を得る場合、全ての青色発光有機ＥＬ層７５４を発光させることにより、有機ＥＬ素子７５０の全域から青色の照明光を照射することができ、観察部位をムラなく、かつ、広範囲にわたって照明することができる。また、複数の青色発光有機ＥＬ層７５４のうちから実際に発光させる層を選択することにより、照明光の強度や、照明光を発生させる部位を設定（選択）することができ、観察の目的に合った照明光を容易に提供することができる。
このような第２実施形態によっても、前記第１実施形態と同様の作用・効果を奏する。
【０１０９】
＜第３実施形態＞
次に、本発明の内視鏡システムの第３実施形態について説明する。
【０１１０】
図９は、本発明の第３実施形態にかかる内視鏡システムが備える内視鏡の先端面を示す平面図、図１０は、図９に示す有機ＥＬ素子の断面図である。
【０１１１】
以下、第３実施形態の内視鏡システムについて、前述した第１実施形態の内視鏡システムとの相違点を中心に説明し、同様の事項については、その説明を省略する。また、前述した実施形態と同様の構成には同一符号を付してある。
【０１１２】
本発明の第３実施形態にかかる内視鏡システムは、機能部および照明手段の構成が異なる以外は、前述した第１実施形態の内視鏡システムとほぼ同様である。
【０１１３】
図９（ａ）に示すように、硬性部２３０の先端面２３１には、対物レンズ系６２０、送気送水ノズル８１０、一対の処置具挿通孔８２０、８３０（以下では、これらを総称して「機能部８００Ｂ」とも言う）および３つのカバーガラス７９１、７９２、７９３が形成されている。
【０１１４】
より具体的には、対物レンズ系６２０と、処置具挿通孔８２０と、処置具挿通孔８３０とは、図９中の紙面上側に向いた正三角形の３つの頂点に対応するように配置されている。
【０１１５】
また、カバーガラス７９１は、対物レンズ系６２０、処置具挿通孔８２０および先端面２３１の縁部で囲まれる領域に配置されており、カバーガラス７９２は、対物レンズ系６２０、送気送水ノズル８１０、処置具挿通孔８３０および先端面２３１の縁部で囲まれる領域に配置されており、カバーガラス７９３は、処置具挿通孔８２０、処置具挿通孔８３０および先端面２３１の縁部で囲まれる領域に配置されている。
【０１１６】
これら３つのカバーガラス７９１、７９２、７９３は、図９中の紙面下側に向いた正三角形の３つの頂点に対応するように配置されている。また、これら３つのカバーガラス７９１、７９２、７９３は、先端面２３１の周方向にほぼ等間隔（すなわち６０°間隔）で配置されている。
【０１１７】
図９（ａ）に示すように、カバーガラス７９１の裏面に接するように有機ＥＬ素子７６０が配置されており、カバーガラス７９２の裏面に接するように有機ＥＬ素子７７０が配置されており、カバーガラス７９３の裏面に接するように有機ＥＬ素子７８０が配置されている。
【０１１８】
有機ＥＬ素子７６０は、青色に発光する青色発光有機ＥＬ素子であり、有機ＥＬ素子７７０は、緑色に発光する緑色発光有機ＥＬ素子であり、有機ＥＬ素子７８０は、赤色に発光する赤色発光有機ＥＬ素子である。本実施形態では、これら３つの有機ＥＬ素を選択的に駆動することにより、後述するように、色の異なる２以上の照明光を照射することができるようになっている。
【０１１９】
図９（ｂ）に示すように、これら３つの有機ＥＬ素子７６０、７７０、７８０は、それぞれ、機能部８００Ｂを除くように、すなわち、先端面２３１の機能部８００Ｂ以外の領域を埋めるようにして設けられている。
【０１２０】
より具体的に説明すれば、青色有機ＥＬ素子７６０は、体物レンズ６２０および処置具挿通孔８２０の一部を囲むように設けられている。また、青色有機ＥＬ素子７６０は、先端面２３１の縁部に沿うようにして形成された部分を有している。
【０１２１】
緑色有機ＥＬ素子７７０は、体物レンズ６２０、送気送水ノズル８１０および処置具挿通孔８３０の一部を囲むように設けられている。また、緑色有機ＥＬ素子７７０は、先端面２３１の縁部に沿うようにして形成された部分を有している。
【０１２２】
赤色有機ＥＬ素子７８０は、処置具挿通孔８２０および処置具挿通孔８３０の一部を囲むように設けられている。また、緑色有機ＥＬ素子７８０は、先端面２３１の縁部に沿うようにして形成された部分を有している。
【０１２３】
３つの有機ＥＬ素子７６０、７７０、７８０をそれぞれ上述のような形状・配置とすることにより、先端面２３１の機能部８００Ｂ以外の領域のほぼ全域にわたって、有機ＥＬ素子を配置することができる。そのため、硬性部２３０（先端面２３１）のスペースを有効活用することができ、有機ＥＬ素子７６０、７７０、７８０の大きさを十分に確保しつつ、硬性部２３０の小径化を図ることができる。
【０１２４】
ここで、先端面２３１の機能部８００Ｂを除く面積をＳとしたとき、有機ＥＬ素子の総面積（すなわち、青色有機ＥＬ素子７６０の面積と、緑色有機ＥＬ素子７７０の面積と、赤色有機ＥＬ素子７８０の面積の合計）は、０．４Ｓ〜１．０Ｓの範囲を満足するのが好ましく、０．７Ｓ〜０．９５Ｓの範囲を満足することがより好ましい。これにより、先端面２３１の機能部８００Ｂを除いた領域の大部分に有機ＥＬ素子が設けられていることとなり、硬性部２３０（先端面２３１）のスペースをより有効活用することができる。
【０１２５】
次いで、有機ＥＬ素子７６０、７７０、７８０の構成について説明するが、有機ＥＬ素子７６０、７７０、７８０はそれぞれ同様の構成であるため、青色有機ＥＬ素子７６０について代表して説明し、緑色有機ＥＬ素子７７０および赤色有機ＥＬ素子７８０については、その説明を省略する。
【０１２６】
本実施形態の青色有機ＥＬ素子７６０は、後述する基板７６１側から光（照明光）を取り出す構成（ボトムエミッション型）である。
【０１２７】
図１０に示すように、青色有機ＥＬ素子７６０は、基板７６１と、基板７６１上に設けられた陽極７６２と、陽極７６２上に設けられた青色発光有機ＥＬ層７６３と、青色発光有機ＥＬ層７６３上に設けられた陰極７６４と、各層７６２〜７６４を覆うように設けられた保護層７６５とを備えている。また、青色発光有機ＥＬ層７６３は、正孔輸送層７６３ａと、青色発光層７６３ｂと、電子輸送層７６３ｃとを備え、これらがこの順で陽極７６２上に形成されている。
【０１２８】
このような構成を有する３つの有機ＥＬ素子７６０、７７０、７８０を備えることにより、色の異なる２以上の照明光を容易に発生させることができる。具体的には、青色有機ＥＬ素子７６０を駆動することにより青色の照明光が得られ、緑色有機ＥＬ素子７７０を駆動することにより緑色の照明光が得られ、青色有機ＥＬ素子７６０、緑色有機ＥＬ素子７７０および赤色有機ＥＬ素子７８０をそれぞれ駆動することにより、青色、緑色および赤色の照明光が合成され、白色の照明光を得ることができる。
【０１２９】
特に、本実施形態では、青色有機ＥＬ素子７６０、緑色有機ＥＬ素子７７０および赤色有機ＥＬ素子７８０という、光の三原色に対応する有機ＥＬ素子を有しているため、発光させる素子およびその発光量を適宜設定（選択）することにより、様々な色の照明光を容易に発生させることができる。
このような第３実施形態によっても、前記第１実施形態と同様の作用・効果を奏する。
【０１３０】
以上、本発明について、好適な実施形態に基づいて説明したが、本発明はこれに限定されるものではない。例えば、本発明の内視鏡システム（内視鏡）を構成する各部は、同様の機能を発揮する任意のものと置換、または、その他の構成を追加することもできる。また、各実施形態を組み合わせてもよい。
【０１３１】
また、前述した実施形態では、照明手段が有する面光源として、有機ＥＬ素子を用いた場合について説明したが、これに限定されず、無機ＥＬ素子を用いてもよい。また、前述した第３実施形態のように、照明手段が複数のＥＬ素子を有している場合には、それらのうちの一部を有機ＥＬ素子とし、その他を無機ＥＬ素子としてもよい。
【０１３２】
また、前述した実施形態では、有機ＥＬ素子の発光層が、正孔輸送層、発光層および電子輸送層を有するものについて説明したが、これに限定されず、正孔輸送層と発光層とを兼ねた正孔輸送性発光層や、電子輸送層と発光層とを兼ねた電子輸送性発光層とすることもできる。また、陽極と陰極の位置が逆であってもよい。
【図面の簡単な説明】
【０１３３】
【図１】電子内視鏡の第１実施形態を示す全体図である。
【図２】図１に示す電子内視鏡が備える挿入部可撓管の先端部の拡大斜視図である。
【図３】図２に示す挿入部可撓管の先端部の断面図である。
【図４】図２に示す挿入部可撓管の先端の平面図である。
【図５】図１に示す電子内視鏡が備える有機ＥＬ素子の断面図である。
【図６】図１に示す電子内視鏡が備える照明手段のブロック図である。
【図７】本発明の第２実施形態にかかる内視鏡システムが備える有機ＥＬ素子の平面図である。
【図８】図７に示す有機ＥＬ素子の断面図である。
【図９】図９は、本発明の第３実施形態にかかる内視鏡システムが備える内視鏡の先端面を示す平面図である。
【図１０】図９に示す有機ＥＬ素子の断面図である。
【符号の説明】
【０１３４】
１        内視鏡システム
１００    電子内視鏡（内視鏡）
２００    挿入部可撓管
２１０    可撓管部
２２０    湾曲部
２３０    硬性部
２３１    先端面
３００    操作部
３１０    操作ノブ
３２０    操作ノブ
３３０    処置具挿通口
４００    接続部可撓管
５００    光源差込部
５１０    画像信号用コネクタ
５２０    光源用コネクタ
６００    撮像手段
６１０    撮像素子
６２０    対物レンズ系
７００    照明手段
７１０    有機ＥＬ素子（面光源）
７１１ａ  第１の縁部
７１１ｂ  第２の縁部
７１１ｃ  第３の縁部
７１１ｄ  第４の縁部
７１１ｅ  第５の縁部
７１２    左側扇状部
７１３    右側扇状部
７１４    連結部
７２１    基板
７２２    陽極
７２３    青色発光有機ＥＬ層
７２３ａ  正孔輸送層
７２３ｂ  青色発光層
７２３ｃ  電子輸送層
７２４    透明電極
７２５    緑色発光有機ＥＬ層
７２５ａ  正孔輸送層
７２５ｂ  緑色発光層
７２５ｃ  電子輸送層
７２６    透明電極
７２７    赤色発光有機ＥＬ層
７２７ａ  正孔輸送層
７２７ｂ  赤色発光層
７２７ｃ  電子輸送層
７２８    陰極
７２９    保護層
７３１、７３２    カバーガラス
７４１    内視鏡側制御部
７４２    制御手段
７５０    有機ＥＬ素子
７５１    回路基板
７５２    陽極
７５３    陰極
７５４    青色発光有機ＥＬ層
７５４ａ  正孔輸送層
７５４ｂ  青色発光層
７５４ｃ  電子輸送層
７５５    緑色発光有機ＥＬ層
７５５ａ  正孔輸送層
７５５ｂ  緑色発光層
７５５ｃ  電子輸送層
７５６    赤色発光有機ＥＬ層
７５６ａ  正孔輸送層
７５６ｂ  赤色発光層
７５６ｃ  電子輸送層
７５８    隔壁部
７６０、７７０、７８０    有機ＥＬ素子
７６１    基板
７６２    陽極
７６３    青色発光有機ＥＬ層
７６３ａ  正孔輸送層
７６３ｂ  青色発光層
７６３ｃ  電子輸送層
７６４    陰極
７６５    保護層
７９１、７９２、７９３    カバーガラス
８００、８００Ｂ    機能部
８１０    送気送水ノズル
８２０、８３０    処置具挿通孔
９００    外部装置
９１０    ケーブル
９２０    モニタ装置
【図１】
2010042140.tif 000003
【図２】
2010042140.tif 000004
【図３】
2010042140.tif 000005
【図４】
2010042140.tif 000006
【図５】
2010042140.tif 000007
【図６】
2010042140.tif 000008
【図７】
2010042140.tif 000009
【図８】
2010042140.tif 000010
【図９】
2010042140.tif 000011
【図１０】
2010042140.tif 000012